(57)【要約】【課題】携帯端末のキーロック動作に関して、メニュー表示からキーロックを選択する手段であっても、また、所定のキーを長押しする手段であっても、誤操作防止のためにその都度手動によるキー操作を要するため、操作性の低下やキーロックを忘れることによる誤操作の原因となっている【解決手段】キー入力部に対してキーロック又はキーロックの解除機能を備える携帯端末装置において、光量を検出する光センサ部と、前記携帯端末装置のキーロック又はキーロックの解除をするキー制御部とを有し、前記キー制御部は、前記光センサ部の光検出量が閾値以上である場合にキーロックの解除動作をし、前記光センサ部の光検出量が閾値未満である場合にキーロック動作をすることを特徴とする携帯端末装置。【選択図】図１
2012039254.tif 000002
【特許請求の範囲】
【請求項１】
キー入力部に対してキーロック又はキーロックの解除機能を備える携帯端末装置において、
周辺光量を検出する光センサ部と、
前記携帯端末装置のキーロック又はキーロックの解除をするキー制御部と、を有し、
前記キー制御部は、
前記光センサ部の光検出量が閾値以上である場合にキーロックの解除動作をし、前記光センサ部の光検出量が閾値未満である場合にキーロック動作をすることを特徴とする携帯端末装置。
【請求項２】
請求項１に記載の携帯端末装置は、前記キー制御部の動作を無効にするアンロックモードを有し、該アンロックモードにおいては光センサ部の光検出量によらず、キーロックが解除された状態を維持することを特徴とする携帯端末装置。
【請求項３】
請求項１に記載の携帯端末装置は、前記キー制御部の動作を無効にするロックモードを有し、該ロックモードにおいては光センサ部の光検出量によらず、キーがロックされた状態を維持することを特徴とする携帯端末装置。
【発明の詳細な説明】
【技術分野】
【０００１】
本発明は、携帯電話やＰＨＳ（Ｐｅｒｓｏｎａｌ  Ｈａｎｄｙｐｈｏｎｅ  Ｓｙｓｔｅｍ）等の操作キーを有する携帯機器において、該キーのロックやアンロック動作を制御し、端末の誤操作を防止する装置に関する。
【背景技術】
【０００２】
携帯通信機器において、キーロック機能は次の理由により必要性が高い。つまり、第1に、他人によって操作されることを未然に防ぐためであり、第２に、カバンの中やポケットに入れて持ち運ぶ場合に、携帯通信機器と周囲の物体がぶつかることによる誤操作を未然に防ぐためである。
【０００３】
従来は、例えば携帯電話やＰＨＳといった携帯通信機器において、キーのロック操作はキー操作で行っていた。例えばメニュー表示からキーロックを選択してキーロックを有効にし、解除する時は所定のキーを押下してパスワードを入力し、正しいパスワードであればキーロックが解除されるという方法が一般的である。
【０００４】
また、特許文献１のように、キーロック専用のボタンを追加する方法も考えられるが、該手段は端末の小型化を阻害するため、特許文献２のように、利用者が設定したキーを長押しすることによってキーロックを有効にする方法も提案されている。
【先行技術文献】
【特許文献】
【０００５】
【特許文献１】特開２００６‐０５００３３号公報
【特許文献２】特開２００９−２３９４７７号公報
【発明の概要】
【発明が解決しようとする課題】
【０００６】
しかるに前記のような、メニュー表示からキーロックを選択する手段であっても、また、所定のキーを長押しする手段であっても、いずれにしても誤操作防止のために、その都度手動によるキー操作を要するものであり、操作性の低下やキーロックを忘れることによる誤操作の原因となっている。
【０００７】
また、前記キーロックが必要である第１の理由であるところの他人が使うことを考慮したキーロックではなく、同第２の理由であるところのカバンやポケットに入れた後に周囲物体との衝突が起こり、このことによる誤操作を防ぐ目的である場合には、他人のいたずらを防ぐ目的を持たないのであるからパスワード等は不要であり、キーロックやキーロックの解除作業は出来る限り簡便であることが望ましい。
【課題を解決するための手段】
【０００８】
前記課題を解決するために本発明は次のような構成とする。つまり、
キー入力部に対してキーロック又はキーロックの解除機能を備える携帯端末装置において、
周辺光量を検出する光センサ部と、
前記携帯端末装置のキーロック又はキーロックの解除をするキー制御部と、を有し、
前記キー制御部は、
前記光センサ部の光検出量が閾値以上である場合にキーロックの解除動作をし、前記光センサ部の光検出量が閾値未満である場合にキーロック動作をすることを特徴とする携帯端末装置である。
【０００９】
また、本発明は、前記キー制御部の動作を無効にするアンロックモードを有し、該アンロックモードにおいては光センサ部の光検出量によらず、キーロックが解除された状態を維持することを特徴とする携帯端末装置である。
【００１０】
また、本発明は、前記キー制御部の動作を無効にするロックモードを有し、該ロックモードにおいては光センサ部の光検出量によらず、キーがロックされた状態を維持することを特徴とする携帯端末装置である。
【発明の効果】
【００１１】
本発明によれば、カバンやポケット等の閉鎖空間に携帯通信機器が収納されたこと、及び取り出されたことを、筐体に設置した光センサによって判断できる。従って、光センサが光を検知した時にはキーロックが解除された状態とし、光センサが光を検知しない時にはキーロックをかけた状態にすることが可能になる。
【００１２】
このことによって、カバンやポケット等の閉鎖空間に携帯通信機器が収納された際に、周囲の物体と携帯通信機器が衝突することによるキーの押下が引き起こす携帯通信機器の誤操作を、利用者の特殊な操作を必要とすることなく、未然に防ぐことが可能になる。
【００１３】
そして、前記キーロック及びキーロックの解除の動作は自動で為されるものであるから、利用者の操作忘れによる携帯通信機器の誤操作といった心配も不要である。
【図面の簡単な説明】
【００１４】
【図１】入力装置と光センサを有する、本発明にかかるブロック図である。
【図２】入力値解析部の一例である。
【図３】キーロック動作をしないモードの入力値解析部の一例である。
【図４】キーロックの解除動作をしないモードの入力値解析部の一例である。
【発明を実施するための形態】
【実施例】
【００１５】
本発明の好適な実施例について、以下に図を参照して説明する。
【００１６】
図１はキー入力装置と光センサを有する携帯通信機器の構成を示した図である。利用者が操作し情報を入力するキー入力装置１１と、周辺の光量を測定する光センサ１３のそれぞれの出力が入力値解析部１５に入力され、入力信号をデコードし、前記利用者が入力した情報に基づいてＣＰＵ１７で必要な処理を行う。
【００１７】
本発明はキー入力装置１１のキー押下情報の有効化と無効化の判断基準として、周辺光量を測定する光センサ１３の出力を用いるものであり、このことによって利用者が特殊な操作をすることなく、周囲の物体がキー入力装置に接触することによって起こる誤入力が引き起こす誤操作を回避できるものである。
【００１８】
このように、周辺光量によってキー入力装置１１のキー押下を有効化あるいは無効化できる根拠は、周辺光量が一定の閾値以下であれば、携帯通信機器がカバンの中に入れられたか、あるいはポケット等にしまわれたと判断できることにある。つまり、携帯通信機器をポケットにしまったらキー押下を無効化し、ポケットから取り出したらキー押下を有効化するといった動作が、本発明を実施した際の特徴的な動作である。
【００１９】
図２は図１における入力値解析部１５の内部構成の一例を示した図である。キー入力装置１１から入力した信号は光センサ１３の出力と論理積をし、キー入力読み取り部２３に入力される。つまり、光センサが一定の光量を検出している時はキー入力装置１１からの入力信号はキー入力読み取り部２３に到達するが、光センサの検出光量が一定の値を満たしていない時は、キー入力装置１１からの信号はキー入力読み取り部２３には到達しない。
【００２０】
図３は入力値解析部１５の内部構成の一例を示した図であるが、光センサによる周辺光量の検出量の大小に関わらず、キー入力装置１１からの信号をキー入力読み取り部２３に到達させる機構を有するものである。つまり、第１のスイッチ３１をキー入力読み取り部２３側に倒し、第２のスイッチ３３を開放状態にすることによって、キー入力読み取り部２３にはキー入力装置１１の信号が常に伝達される。
【００２１】
第１のスイッチ３１および第２のスイッチ３３の制御は携帯通信機器が有する主制御部が行うソフトウエア処理であり、これらスイッチへの指示方法については本発明では限定しない。
【００２２】
図４は入力値解析部１５の内部構成の一例を示した図であるが、光センサによる周辺光量の検出量の大小に関わらず、キー入力装置１１からの信号をキー入力読み取り部２３に到達させない機構を有するものである。つまり、第３のスイッチ４１を接地側に倒すことによって、キー入力読み取り部２３にはキー入力装置１１の信号が常に伝達されない。
【００２３】
第３のスイッチ４１の制御は携帯通信機器が有する主制御部が行うソフトウエア処理であり、該スイッチへの指示方法については本発明では限定しない。
【００２４】
前記機構を有することによって、キー入力装置１１からの入力信号をキー入力読み取り部２３に伝達するか遮断するかの制御が可能になる。キー入力読み取り部２３がキー入力装置１１からの入力信号を解析し、デコード結果をＣＰＵ１７に伝達し、必要な処理が行われる。
【００２５】
なお、本発明が用いる光センサは、携帯通信機器の任意の位置に装備されるものであるが、その形状や位置、および特性についてはこれをなんら限定するものではない。
【符号の説明】
【００２６】
１１…キー入力装置、  １３…光センサ、
１５…入力値解析部、  １７…ＣＰＵ、
２１…論理積回路、  ２３…キー入力読み取り部、
３１…第１のスイッチ、  ３２…第２のスイッチ、
４１…第３のスイッチ。
【図１】
2012039254.tif 000003
【図２】
2012039254.tif 000004
【図３】
2012039254.tif 000005
【図４】
2012039254.tif 000006